(57)【要約】【課題】分割駆動方式を用いる液晶表示装置において、分割される境界のそばの画素の表示階調が他と異なる現象を抑止すること。【解決手段】液晶表示装置は、駆動回路と、所定の方向に並ぶ複数の分割表示部と、を含む。各分割表示部は、駆動回路に接続される複数の走査線と、駆動回路に接続される複数のデータ信号線と、走査線とデータ信号線との交点に対応する複数の画素回路と、を含む。駆動回路は、各分割表示部に含まれる複数の走査線を１番目の走査線から順に選択するとともにデータ信号線にデータ信号を供給し、最後の走査線を選択した後には帰線期間を経てこれらの操作を繰り返す。駆動回路は、分割表示部のうち少なくとも一つに含まれる１番目の走査線であって、隣接して他の分割表示部に含まれる走査線が配置される１番目の走査線を選択する前かつ帰線期間内に、データ信号に基づいてデータ信号線に信号電位を供給する。【選択図】図４
2010282046.tif 000002
【特許請求の範囲】
【請求項１】
駆動回路と、所定の方向に並ぶ複数の分割表示部と、を含む液晶表示装置であって、
前記各分割表示部は、
前記駆動回路に接続される複数の走査線と、
前記複数の走査線と交差するとともに前記駆動回路に接続される複数のデータ信号線と、
前記走査線と前記データ信号線との交点に対応して設けられ、対応する前記走査線が選択された際に供給されるデータ信号であって対応する前記データ信号線に供給されるデータ信号に基づいて階調表示する複数の画素回路と、
を含み、
前記駆動回路は、前記各分割表示部に含まれる前記複数の走査線を１番目の前記走査線から順に選択するとともに該分割表示部に含まれる前記データ信号線にデータ信号を供給し、最後の前記走査線を選択した後には所定の期間を空けて前記１番目の走査線からこれらの操作を繰り返し、
前記駆動回路は、前記分割表示部のうち少なくとも一つに含まれる前記１番目の走査線であって、隣接して他の前記分割表示部に含まれる走査線が配置される前記１番目の走査線を選択する前かつ前記所定の期間内に、前記データ信号に基づいて前記データ信号線に信号電位を供給する、
ことを特徴とする液晶表示装置。
【請求項２】
前記各分割表示部に含まれる前記複数の走査線は、前記駆動回路に選択される順に前記所定の方向に並び、
前記駆動回路は、前記分割表示部のうち少なくとも一つに含まれる前記１番目の走査線であって、隣接して他の前記分割表示部に含まれる走査線が配置される前記１番目の走査線を選択する前かつ前記所定の期間内に、前記他の分割表示部に含まれる前記走査線のうち少なくとも一つを選択する際に供給されるデータ信号に基づいて、前記１番目の走査線を含む前記分割表示部に含まれる前記データ信号線に信号電位を供給する、
ことを特徴とする請求項１に記載の液晶表示装置。
【請求項３】
前記駆動回路は、前記分割表示部のうち少なくとも一つに含まれる前記１番目の走査線であって、隣接して他の前記分割表示部に含まれる走査線が配置される前記１番目の走査線を選択する前かつ前記所定の期間内に、前記他の分割表示部に含まれる前記最後の走査線を選択する際に供給されるデータ信号に基づいて、前記１番目の走査線を含む前記分割表示部に含まれる前記データ信号線に信号電位を供給する、
ことを特徴とする請求項２に記載の液晶表示装置。
【請求項４】
前記駆動回路は、前記分割表示部のうち少なくとも一つに含まれる前記１番目の走査線であって、隣接して他の前記分割表示部に含まれる走査線が配置される前記１番目の走査線を選択する前かつ前記所定の期間内に、前記１番目の走査線を選択する際に供給されるデータ信号に基づいて、前記１番目の走査線を含む前記分割表示部に含まれる前記データ信号線に信号電位を供給する、
ことを特徴とする請求項１に記載の液晶表示装置。
【発明の詳細な説明】
【技術分野】
【０００１】
本発明は液晶表示装置に関し、特に表示画面が複数の部分に分割され、それらの部分がそれぞれ駆動される液晶表示装置に関する。
【背景技術】
【０００２】
薄膜トランジスタを使用する液晶表示装置は、近年表示品質を向上させるために、表示データを書き込む期間と垂直帰線期間をあわせた期間である１フレーム期間を従来の半分とする倍速駆動などの方法がとられている。すると、１走査線あたりの書込み時間が短くなるため、走査線数が多い場合などは書込み不良が起きる恐れがある。書込み期間を確保する一つの方法として、表示する画面を複数の部分に分割し、分割された部分を別々に駆動する技術（以下「分割駆動方式」という）の開発がすすめられている。
【０００３】
図１は、分割駆動方式を採用した液晶表示装置の構成を示す図である。液晶表示装置は、表示制御部ＴＣと、上分割表示部ＤＡＨと、下分割表示部ＤＡＬと、上データ線駆動回路ＸＤＶＨと、下データ線駆動回路ＸＤＶＬと、垂直駆動回路ＹＤＶとを含む。ここで、液晶表示装置の表示領域は、上分割表示部ＤＡＨと、下分割表示部ＤＡＬとにより構成されている。
【０００４】
上分割表示部ＤＡＨは、ｍ本の走査線ＧＬ（１）〜ＧＬ（ｍ）と、このｍ本の走査線ＧＬに交差する複数の上データ信号線ＤＬＨと、上記ｍ本の走査線ＧＬと上データ信号線ＤＬＨとの交点に対応して設けられる複数の画素回路ＰＣとを含む。各上データ信号線ＤＬＨは、上データ線駆動回路ＸＤＶＨに接続されている。下分割表示部ＤＡＬは、ｍ本の走査線ＧＬ（ｍ＋１）〜ＧＬ（２ｍ）と、このｍ本の走査線ＧＬに交差する複数の下データ信号線ＤＬＬと、このｍ本の走査線ＧＬと下データ信号線ＤＬＬとの交点に対応して設けられる複数の画素回路ＰＣとを含む。なお、複数の画素回路ＰＣは、図１には示されていない。各下データ信号線ＤＬＬは、下データ線駆動回路ＸＤＶＬに接続されている。ここで、走査線ＧＬ（ｋ）は表示領域において上からｋ番目の走査線を示し、また順番を特定する必要が無い場合には、符号ＧＬに番号は付さない。上分割表示部ＤＡＨおよび下分割表示部ＤＡＬに含まれる各走査線ＧＬは、垂直駆動回路ＹＤＶに接続されている。
【０００５】
上分割表示部ＤＡＨにおいては、垂直駆動回路ＹＤＶは走査線ＧＬ（１）から順に走査線ＧＬを選択し、走査線ＧＬ（ｍ）を駆動した後は、垂直帰線期間を経て再び走査線ＧＬ（１）の選択から繰り返す。走査線ＧＬのうちいずれかが選択されている期間が書込み期間であり、書込み期間には上データ線駆動回路ＸＤＶＨは上データ信号線ＤＬＨにその上データ信号線ＤＬＨおよび選択された走査線ＧＬに対応する画素回路ＰＣが表示すべき階調を電位の高低により示すデータ信号を供給する。同様に、下分割表示部ＤＡＬにおいては、垂直駆動回路ＹＤＶは、走査線ＧＬ（ｍ＋１）から順に走査線ＧＬを選択し、走査線ＧＬ（２ｍ）を駆動した後は、垂直帰線期間を経て再び走査線ＧＬ（ｍ＋１）の選択から繰り返す。書込み期間には下データ線駆動回路ＸＤＶＬは下データ信号線ＤＬＬにその下データ信号線ＤＬＬおよび選択された走査線ＧＬに対応する画素回路ＰＣが表示すべき階調を示すデータ信号を供給する。
【０００６】
特許文献１には、上述のような分割駆動方式を用いる従来の液晶表示装置の例が開示されている。特許文献２には本願に関連する発明が記載されており、分割駆動方式を採らず、かつプリチャージを前提とする画素回路を有する液晶表示装置において、プリチャージ用の表示データを垂直帰線期間にデータ信号線に出力する発明が記載されている。
【先行技術文献】
【特許文献】
【０００７】
【特許文献１】特開２００８−７０４０６号公報
【特許文献２】特開平１１−１５４４８号公報
【発明の概要】
【発明が解決しようとする課題】
【０００８】
従来の分割駆動方式を用いる液晶表示装置では、データ信号は垂直帰線期間には供給されない。そのため下分割表示部ＤＡＬに含まれるＧＬ（ｍ＋１）のように、垂直帰線期間後すぐに選択される走査線を選択するタイミングでは、垂直帰線期間に印加される固定的な電位（例えば黒表示となる電位）からデータ信号が示す電位に向かってデータ信号線の電位が変化する。一方、下分割表示部ＤＡＬに含まれる走査線ＧＬ（ｍ＋２）や上分割表示部ＤＡＨに含まれるＧＬ（ｍ）のように、垂直帰線期間後他の走査線が選択された後に選択される走査線では、前のデータ信号によって変動した電位から今のデータ信号が示す電位に向かってデータ信号線の電位が変化する。この変化の仕方の違いにより、垂直帰線期間後すぐに選択される走査線に対応する画素と、その後に選択される走査線に対応する画素との間では、データ信号と表示される階調との間での特性が異なる。
【０００９】
この特性の相違は分割表示を行った場合に大きな問題となる。表示画面が複数の分割表示部に分割された場合、分割表示部の境界に隣接して配置される走査線であって垂直帰線期間後すぐに選択される走査線、つまり先ほどの走査線ＧＬ（ｍ＋１）に対応する画素の両側に特性の異なる画素が配置される。そのために特性の違いに伴う階調の違いが容易に認識されてしまう。
【００１０】
本発明は上記課題に鑑みてなされたものであって、その目的は、分割表示部の境界のそばに配置される走査線であって垂直帰線期間後すぐに選択される走査線に対応する画素回路が表示する階調とデータ信号との間の特性を、他の走査線とデータ信号との間の特性に近づけることにある。
【課題を解決するための手段】
【００１１】
本出願において開示される発明のうち、代表的なものの概要を簡単に説明すれば、以下
の通りである。
【００１２】
（１）駆動回路と、所定の方向に並ぶ複数の分割表示部と、を含む液晶表示装置であって、前記各分割表示部は、前記駆動回路に接続される複数の走査線と、前記複数の走査線と交差するとともに前記駆動回路に接続される複数のデータ信号線と、前記走査線と前記データ信号線との交点に対応して設けられ、対応する前記走査線が選択された際に供給されるデータ信号であって対応する前記データ信号線に供給されるデータ信号に基づいて階調表示する複数の画素回路と、を含み、前記駆動回路は、前記各分割表示部に含まれる前記複数の走査線を１番目の前記走査線から順に選択するとともに該分割表示部に含まれる前記データ信号線にデータ信号を供給し、最後の前記走査線を選択した後には所定の期間を空けて前記１番目の走査線からこれらの操作を繰り返し、前記駆動回路は、前記分割表示部のうち少なくとも一つに含まれる前記１番目の走査線であって、隣接して他の前記分割表示部に含まれる走査線が配置される前記１番目の走査線を選択する前かつ前記所定の期間内に、前記データ信号に基づいて前記データ信号線に信号電位を供給する、ことを特徴とする液晶表示装置。
【００１３】
（２）（１）において、前記各分割表示部に含まれる前記複数の走査線は、前記駆動回路に選択される順に前記所定の方向に並び、前記駆動回路は、前記分割表示部のうち少なくとも一つに含まれる前記１番目の走査線であって、隣接して他の前記分割表示部に含まれる走査線が配置される前記１番目の走査線を選択する前かつ前記所定の期間内に、前記他の分割表示部に含まれる前記走査線のうち少なくとも一つを選択する際に供給されるデータ信号に基づいて、前記１番目の走査線を含む前記分割表示部に含まれる前記データ信号線に信号電位を供給する、ことを特徴とする液晶表示装置。
【００１４】
（３）（２）において、前記駆動回路は、前記分割表示部のうち少なくとも一つに含まれる前記１番目の走査線であって、隣接して他の前記分割表示部に含まれる走査線が配置される前記１番目の走査線を選択する前かつ前記所定の期間内に、前記他の分割表示部に含まれる前記最後の走査線を選択する際に供給されるデータ信号に基づいて、前記１番目の走査線を含む前記分割表示部に含まれる前記データ信号線に信号電位を供給することを特徴とする液晶表示装置。
【００１５】
（４）（１）において、前記駆動回路は、前記分割表示部のうち少なくとも一つに含まれる前記１番目の走査線であって、隣接して他の前記分割表示部に含まれる走査線が配置される前記１番目の走査線を選択する前かつ前記所定の期間内に、前記１番目の走査線を選択する際に供給されるデータ信号に基づいて、前記１番目の走査線を含む前記分割表示部に含まれる前記データ信号線に信号電位を供給することを特徴とする液晶表示装置。
【発明の効果】
【００１６】
本発明によれば、分割表示部の境界に隣接して配置される走査線であって垂直帰線期間後すぐに選択される走査線に対応する画素回路が表示する階調とデータ信号との間の特性を、他の走査線とデータ信号との間の特性に近づけることができる。
【図面の簡単な説明】
【００１７】
【図１】分割駆動方式を採用した液晶表示装置の構成を示す図である。
【図２】一つの画素回路の等価回路を示す図である。
【図３】第１の実施形態に係るフレーム期間の構成を示す図である。
【図４】第１の実施形態に係る各種信号のタイミングを示す図である。
【図５】第２の実施形態に係るフレーム期間の構成を示す図である。
【図６】第２の実施形態に係る各種信号のタイミングを示す図である。
【発明を実施するための形態】
【００１８】
以下では、本発明の実施形態について図面に基づいて説明する。以下では本発明をＩＰＳ方式の液晶表示装置に適用した実施形態について記載する。また、出現する構成要素のうち同一機能を有するものには同じ符号を付し、その説明を省略する。
【００１９】
［第１の実施形態］
図１は、本発明の実施形態に係る液晶表示装置の構成を示す図であり、分割駆動方式を採用した液晶表示装置の構成を示す図である。液晶表示装置は液晶表示パネルを有しており、その液晶表示パネルは構造的には、画素回路ＰＣなどが形成されるアレイ基板と、そのアレイ基板に対向して設けられる対向基板と、アレイ基板と対向基板の間に封入される液晶と、アレイ基板に接続されるドライバＩＣと、を含んでいる。なお、アレイ基板の外側と対向基板の外側には偏光板が貼り付けられている。液晶表示パネルは別の観点でみると、表示制御部ＴＣと、上分割表示部ＤＡＨと、下分割表示部ＤＡＬと、上データ線駆動回路ＸＤＶＨと、下データ線駆動回路ＸＤＶＬと、垂直駆動回路ＹＤＶとを含む。表示制御部ＴＣと、上データ線駆動回路ＸＤＶＨと、下データ線駆動回路ＸＤＶＬとはドライバＩＣに実装されており、上分割表示部ＤＡＨと、下分割表示部ＤＡＬとはアレイ基板上の表示領域を構成しており、下分割表示部ＤＡＬは上分割表示部ＤＡＨより下にある。
【００２０】
上分割表示部ＤＡＨは、ｍ本の走査線ＧＬ（１）〜ＧＬ（ｍ）と、このｍ本の走査線ＧＬに交差する複数の上データ信号線ＤＬＨと、上記ｍ本の走査線ＧＬと上データ信号線ＤＬＨとの交点に対応して設けられる複数の画素回路ＰＣとを含む。各上データ信号線ＤＬＨは、上データ線駆動回路ＸＤＶＨに接続されている。下分割表示部ＤＡＬは、ｍ本の走査線ＧＬ（ｍ＋１）〜ＧＬ（２ｍ）と、このｍ本の走査線ＧＬに交差する複数の下データ信号線ＤＬＬと、このｍ本の走査線ＧＬと下データ信号線ＤＬＬとの交点に対応して設けられる複数の画素回路ＰＣとを含む。なお、複数の画素回路ＰＣは図１には示されていない。各下データ信号線ＤＬＬは、下データ線駆動回路ＸＤＶＬに接続されている。ここで、走査線ＧＬ（ｋ）は上分割表示部ＤＡＨから下分割表示部ＤＡＬにかけて通番の形で上からｋ番目の走査線を示している。また順番を特定しない場合には、符号ＧＬに番号は付していない。上分割表示部ＤＡＨおよび下分割表示部ＤＡＬに含まれる各走査線ＧＬは、垂直駆動回路ＹＤＶに接続されている。上分割表示部ＤＡＨおよび下分割表示部ＤＡＬには各走査線ＧＬに１対１に対応する図示しないコモン信号線ＣＬがその走査線ＧＬに並んで延びている。なお、以下では上データ信号線ＤＬＨと下データ信号線ＤＬＬとを総称してデータ信号線ＤＬと記載する。
【００２１】
図２は、一つの画素回路ＰＣの等価回路を示す図である。画素回路ＰＣは、隣り合う２本の走査線ＧＬと隣り合う２本のデータ信号線ＤＬによって区切られた領域に設けられている。各画素回路ＰＣは、下側の走査線ＧＬと左側のデータ信号線ＤＬとに接続されている。各画素回路ＰＣは、薄膜トランジスタＴＦＴと、画素電極ＰＸと、コモン電極ＣＴとを有している。薄膜トランジスタＴＦＴは、そのソース電極が画素回路ＰＣの左側のデータ信号線ＤＬに接続され、ドレイン電極が画素電極ＰＸに接続され、そのゲート線が画素回路ＰＣの下側の走査線ＧＬに接続されている。また画素電極ＰＸとコモン電極ＣＴとの間で容量を構成し、その間に発生する電界によって液晶の偏光が制御される。コモン電極ＣＴは、画素回路ＰＣが接続される走査線ＧＬに対応するコモン信号線ＣＬに接続されている。
【００２２】
表示制御部ＴＣには、液晶表示パネルの外部から表示すべき画像のデータである表示画像データが入力される。表示制御部ＴＣは、上データ線駆動回路ＸＤＶＨおよび下データ線駆動回路ＸＤＶＬに行ごとの表示データ、水平同期信号、表示データラッチ用クロックなどを出力し、上データ線駆動回路ＸＤＶＨおよび下データ線駆動回路ＸＤＶＬを制御する。また表示制御部ＴＣは、垂直駆動回路ＹＤＶにも垂直同期信号、シフトクロック等を出力し、垂直駆動回路ＹＤＶを制御する。垂直駆動回路ＹＤＶは選択対象となる走査線ＧＬに対し選択信号を供給し、それにより選択された走査線ＧＬに接続された画素回路ＰＣに含まれる薄膜トランジスタＴＦＴがオンになる。垂直駆動回路ＹＤＶは上分割表示部ＤＡＨに含まれる走査線ＧＬのうち一つと下分割表示部ＤＡＬに含まれる走査線ＧＬのうち一つとを同時に選択する。図１では垂直駆動回路ＹＤＶは一つの回路として記載しているが、上分割表示部ＤＡＨ用と下分割表示部ＤＡＬ用の二つの垂直駆動回路ＹＤＶに分割されていてもよい。上データ線駆動回路ＸＤＶＨは、表示制御部ＴＣから受け取った１行分の表示データを列ごと分解してラッチしており、水平同期信号にあわせて各列の表示データを表示データ信号として各データ信号線ＤＬＨに出力する。下データ線駆動回路ＸＤＶＬも同様にしてその行の各列の表示データ信号を各データ信号線ＤＬＬに出力する。
【００２３】
垂直駆動回路ＹＤＶ、上データ線駆動回路ＸＤＶＨおよび下データ線駆動回路ＸＤＶＬは、上分割表示部ＤＡＨおよび下分割表示部ＤＡＬに含まれる画素回路ＰＣを駆動する駆動回路を構成している。以下で駆動回路の動作について詳しく説明する。図３は、本発明の第１の実施形態に係るフレーム期間の構成を示す図である。図３の上側に示されるフレーム期間ＴＦＨは、上分割表示部ＤＡＨにおける一つの静止した画像を出力する期間であり、その期間はさらに走査線ＧＬに接続された画素回路ＰＣに表示データを書き込む書込期間ＴＷＨと、垂直帰線期間ＴＢＨとに分かれる。図３の下側に示されるフレーム期間ＴＦＬは下分割表示部ＤＡＬに対する点を除けばフレーム期間ＴＦＨと同様であり、書込期間ＴＷＬと、垂直帰線期間ＴＢＬとに分かれる。ここで、液晶表示装置は表示すべき画像を定期的に書き換えることによって動画を表示している。フレーム期間ＴＦＨ（ｐ）は、ｐ番目の画像に対応するフレームであることを示す。本実施形態では、フレーム期間ＴＦＨ（ｐ）とフレーム期間ＴＦＬ（ｐ−１）とが同じ期間となる。言い換えれば、上分割表示部ＤＡＨの方が一つだけ新しい順の静止画を描画している。こうすると、ある順番の画像を上分割表示部ＤＡＨで上から順に書込みした後に、下分割表示部ＤＡＬに同じ順番の画像を上から順に書込みすることになり、結果として動く物体の中央部でのずれを抑制することができる。
【００２４】
図４は、第１の実施形態に係る各種信号のタイミングを示す図である。本図の横軸は時間であり、本図の上から順に、上データ信号線ＤＬＨに供給される表示データ信号、下データ信号線ＤＬＬに供給される表示データ信号、走査線ＧＬ（１）に供給される選択信号、走査線ＧＬ（ｍ−１）に供給される選択信号、走査線ＧＬ（ｍ）に供給される選択信号、走査線ＧＬ（ｍ＋１）に供給される選択信号を示している。図４では上データ信号線ＤＬＨに供給される表示データ信号および下データ信号線ＤＬＬに供給される表示データ信号については、電位の高低ではなく、表示データの行数によって信号の内容を表している。ある走査線ＧＬが選択されると、その走査線ＧＬに供給される選択信号の電位が高くなり、その走査線ＧＬに接続された画素回路ＰＣに含まれる薄膜トランジスタＴＦＴがオンとなる。それらの画素回路ＰＣでは、薄膜トランジスタＴＦＴにより、データ信号線ＤＬからの表示データ信号による電位が画素電極ＰＸに供給され、画素電極ＰＸとコモン電極ＣＴとの間の容量にその電位による電位差が生じる。なお、走査線ＧＬが選択されなくなると薄膜トランジスタＴＦＴがオフになり、容量に生じた電位差が次の選択まで記憶される。なお、記憶された電位差に応じて変化する液晶の偏光の度合いにより、階調表示を行っている。
【００２５】
上分割表示部ＤＡＨに対しての駆動方法について以下に説明する。あるフレーム期間ＴＦＨの書込期間ＴＷＨにおいて、垂直駆動回路ＹＤＶは１番目の走査線ＧＬ（１）から上分割表示部ＤＡＨの最後の走査線ＧＬ（ｍ）まで順に走査線ＧＬを選択する。次に垂直帰線期間ＴＢＨを経て次のフレーム期間ＴＦＨとなり再び書込期間ＴＷＨの走査線ＧＬ（１）の選択から繰り返す。書込期間ＴＷＨにおいて、上データ線駆動回路ＸＤＶＨは走査線ＧＬに接続された画素回路ＰＣへの表示データ信号を、電位の高低として上データ信号線ＤＬＨに供給する。具体的には、上データ線駆動回路ＸＤＶＨはｋ番目の走査線ＧＬ（ｋ）が選択された際にはｋ行目の表示データ信号を上データ信号線ＤＬＨに出力する。下分割表示部ＤＡＬに対しての駆動方法について以下に説明する。あるフレーム期間ＴＦＬの書込期間ＴＷＬにおいて、垂直駆動回路ＹＤＶは下分割表示部ＤＡＬの１番目の走査線ＧＬ（ｍ＋１）から最後の走査線ＧＬ（２ｍ）まで順に走査線ＧＬを選択する。次に垂直帰線期間ＴＢＬを経て次のフレーム期間ＴＦＬとなり再び書込期間ＴＷＬの走査線ＧＬ（ｍ＋１）の選択から繰り返す。書込期間ＴＷＬにおいて、下データ線駆動回路ＸＤＶＬは走査線ＧＬに接続された画素回路ＰＣへの表示データ信号を、電位の高低として下データ信号線ＤＬＬに供給する。この点は上データ線駆動回路ＸＤＶＨと同様の駆動方法である。しかし、下データ線駆動回路ＸＤＶＬは、垂直帰線期間ＴＢＬの間でかつ次のフレーム期間ＴＦＬの書込期間ＴＷＬの直前のプレデータ信号出力期間ＴＰに、プレデータ信号の信号電位を出力する。プレデータ信号は、本実施形態においてはその前の書込期間ＴＷＨにおいて走査線ＧＬ（ｍ）が選択された際に上データ線駆動回路ＸＤＶＨが出力したｍ行目の表示データ信号と同じ電位である。ここで、本実施形態においてはプレデータ信号出力期間ＴＰの長さは、他の走査線ＧＬのうち一つが選択される期間（水平走査期間）と同じである。
【００２６】
すると、走査線ＧＬ（ｍ）や走査線ＧＬ（ｍ＋２）と同様に走査線ＧＬ（ｍ＋１）が選択される前に下データ信号線ＤＬＬに表示データ信号が供給される。よって走査線ＧＬ（ｍ）に対応する行の画素回路ＰＣが表示する階調と表示データ信号との間の特性を、他の走査線ＧＬとデータ信号との間の特性に近づけることができる。本実施形態ではフレーム反転を用いているので、その場合についてより具体的に説明する。垂直帰線期間ＴＢＬ（垂直帰線期間ＴＢＨも）後すぐに選択されない走査線ＧＬに対応する行では表示データの連続性によりデータ信号線ＤＬにかかる表示データ信号の電位変化も連続的となる。一方、プレデータ信号を供給しない場合は走査線ＧＬ（ｍ＋１）が選択された際にデータ信号線ＤＬにかかる電位は非連続的になるが、こちらもプレデータ信号の供給により連続的になる。これにより、走査線ＧＬ（ｍ＋１）が選択された際のデータ信号線ＤＬの電位が表示データ信号に追随することが容易になり、ｍ＋１行目のみ上下より暗い階調となる現象、言い換えれば陰線が見える現象が抑止できる。
【００２７】
なお、プレデータ信号は、上述の信号には限られない。表示されるべき階調（他行の表示データ信号）との関係、例えば単調増加の関係があれば良く、例えばプレデータ信号出力期間ＴＰに、その直後に供給されるｍ＋１行目の表示データ信号をプレデータ信号として出力してもよい。位置が多少異なっていても、表示画像の連続性から表示データ信号の違いが大きくないため、走査線ＧＬ（ｍ＋１）に対応する行の画素回路ＰＣが表示する階調と表示データ信号との間の特性を、他の走査線ＧＬとデータ信号との間の特性に近づける効果が得られる。また、１行の表示データのみではなく、ｍ＋１行目と同じもしくは近い行のうち複数行の表示データの平均等を行い、それにより求められた信号電位でプレデータ信号を供給しても良い。
【００２８】
またフレーム反転ではなくライン反転やドット反転の場合にもこの駆動方法を用いてもよい。ライン反転の場合はフレーム反転と異なり表示データ信号の極性が行ごとに切り替わっているが、走査線ＧＬ（ｍ＋１）では従来の駆動方法だと変化する前の電位が振幅中心の電位（例えば０Ｖ）となり、結果として前後の行と比べて明るくなる現象が起きる。本実施形態の駆動方法を用いれば、走査線ＧＬ（ｍ）に対応する行の画素回路ＰＣが表示する階調と表示データ信号との間の特性を、他の走査線ＧＬとデータ信号との間の特性に近づけるので、上下の行より明るい階調となる現象を抑える効果が得られる。なお、この場合は表示すべき階調とプレデータ信号との関係は例えば単調減少の関係となると良い。
【００２９】
［第２の実施形態］
以下では本発明の第２の実施形態について説明する。第２の実施形態に係る液晶表示装置の構成は、第１の実施形態で図１および図２を用いて説明したものと同様であり、液晶表示パネルの駆動回路の動作のみ異なる。以下では第１の実施形態との相違点を中心に説明する。
【００３０】
図５は、第２の実施形態に係るフレーム期間の構成を示す図である。まず図５の上側に示されるフレーム期間ＴＦＨは、上分割表示部ＤＡＨにおける一つの画像を出力する期間であり、その期間はさらに書込期間ＴＷＨと、垂直帰線期間ＴＢＨとに分かれる。図５の下側に示されるフレーム期間ＴＦＬは下分割表示部ＤＡＬに対する点を除けばフレーム期間ＴＦＨと同様であり、書込期間ＴＷＬと、垂直帰線期間ＴＢＬとに分かれる。フレーム期間ＴＦＨ（ｐ）の開始後にフレーム期間ＴＦＬ（ｐ）が始まる点は第１の実施形態と同様であるが、本実施形態ではフレーム期間ＴＦＬ（ｐ）が、フレーム期間ＴＦＨ（ｐ）の垂直帰線期間が始まるのと同時に始まる点が異なる。こうすると、ある静止画を上分割表示部ＤＡＨで上から順に書込みし、走査線ＧＬ（ｍ）に対応する行に書込みした後すぐに走査線ＧＬ（ｍ＋１）に対応する行への書込みが行われ、第１の実施形態と比べても動く物体の中央部でのずれをより抑制することができる。この走査線ＧＬの選択方法およびこの選択方法を実現する構成については、特開２００８−７０４０６号公報に詳しく記載されている。
【００３１】
図６は、第２の実施形態に係る各種信号のタイミングを示す図であり、第１の実施形態における図４に対応する。本図の横軸は時間であり、本図の上から順に、上データ信号線ＤＬＨに供給される表示データ信号、下データ信号線ＤＬＬに供給される表示データ信号、走査線ＧＬ（１）に供給される選択信号、走査線ＧＬ（ｍ−１）に供給される選択信号、走査線ＧＬ（ｍ）に供給される選択信号、走査線ＧＬ（ｍ＋１）に供給される選択信号、走査線ＧＬ（２ｍ）に供給される選択信号を示している。
【００３２】
上分割表示部ＤＡＨに対しての駆動方法について以下に説明する。あるフレーム期間ＴＦＨの書込期間ＴＷＨにおいて、垂直駆動回路ＹＤＶは上分割表示部ＤＡＨのはじめの走査線ＧＬ（１）から最後の走査線ＧＬ（ｍ）まで順に走査線ＧＬを選択する。次に垂直帰線期間ＴＢＨを経て次のフレーム期間ＴＦＨとなり再び書込期間ＴＷＨの走査線ＧＬ（１）の選択から繰り返す。書込期間ＴＷＨにおいて、上データ線駆動回路ＸＤＶＨは走査線ＧＬに接続された画素回路ＰＣへの表示データ信号を、電位の高低として上データ信号線ＤＬＨに供給する。下分割表示部ＤＡＬに対しての駆動方法について以下に説明する。あるフレーム期間ＴＦＬの書込期間ＴＷＬにおいて、垂直駆動回路ＹＤＶは上分割表示部ＤＡＨの走査線ＧＬ（ｍ）が選択された後の垂直帰線期間ＴＢＨが始まる際から、走査線ＧＬ（ｍ＋１）から走査線ＧＬ（２ｍ）まで順に走査線ＧＬを選択する。次に垂直帰線期間ＴＢＬを経て次のフレーム期間ＴＦＬとなり再び書込期間ＴＷＬの走査線ＧＬ（ｍ＋１）の選択から繰り返す。書込期間ＴＷＬにおいて、下データ線駆動回路ＸＤＶＬは走査線ＧＬに接続された画素回路ＰＣへの表示データ信号を、電位の高低として下データ信号線ＤＬＬに供給する。この点は上データ線駆動回路ＸＤＶＨと同様の駆動方法である。しかし、下データ線駆動回路ＸＤＶＬは、垂直帰線期間ＴＢＬの間でかつ次のフレーム期間ＴＦＬの書込期間ＴＷＬの直前のプレデータ信号出力期間ＴＰに、プレデータ信号を出力する点が異なる。プレデータ信号は、本実施形態においてはその前の書込期間ＴＷＨにおいて走査線ＧＬ（ｍ）が選択された際に上データ線駆動回路ＸＤＶＨが出力したｍ行目の表示データ信号である。ここで、本実施形態においてはプレデータ信号出力期間ＴＰの長さは、他の走査線ＧＬのうち一つが選択される期間（水平走査期間）と同じである。
【００３３】
すると第１の実施形態と同様に、走査線ＧＬ（ｍ）や走査線ＧＬ（ｍ＋２）と同様に走査線ＧＬ（ｍ＋１）が選択される前に下データ信号線ＤＬＬに表示データが供給される。よって走査線ＧＬ（ｍ）に対応する行の画素回路ＰＣが表示する階調と表示データ信号との間の特性を、他の走査線ＧＬとデータ信号との間の特性に近づけることができる。フレーム反転駆動を用いている場合には、ｍ＋１行目のみ陰線が見える現象が抑止できる。なお、プレデータ信号は、第１の実施形態と同様に上述の信号には限られない。例えばプレデータ信号出力期間ＴＰに、その直後に供給されるｍ＋１行目の表示データ信号をプレデータ信号として出力してもよい。またフレーム反転ではなくライン反転やドット反転の場合にもこの駆動方法を用いてもよい。
【００３４】
これまで本発明の実施形態について説明してきたが、本発明は以上に説明した形態に限定されるものではない。例えば、ＴＮ方式の液晶表示装置などの他の表示方式の液晶表示装置にも適用できる。他の表示方式であっても分割駆動方式は適用でき、そこでデータ信号線の信号電位の変化の課題は共通するからである。
【符号の説明】
【００３５】
ＴＣ  表示制御部、ＤＡＨ  上分割表示部、ＤＡＬ  下分割表示部、ＸＤＶＨ  上データ線駆動回路、ＸＤＶＬ  下データ線駆動回路、ＹＤＶ  垂直駆動回路、ＤＬ  データ信号線、ＤＬＨ  上データ信号線、ＤＬＬ  下データ信号線、ＧＬ  走査線、ＣＬ  コモン線、ＴＦＴ  薄膜トランジスタ、ＰＸ  画素電極、ＣＴ  コモン電極、ＴＦＨ，ＴＦＬ  フレーム期間、ＴＢＨ，ＴＢＬ  垂直帰線期間、ＴＷＨ，ＴＷＬ  書込期間、ＴＰ  プレデータ信号出力期間。
【図１】
2010282046.tif 000003
【図２】
2010282046.tif 000004
【図３】
2010282046.tif 000005
【図４】
2010282046.tif 000006
【図５】
2010282046.tif 000007
【図６】
2010282046.tif 000008